(57)【要約】      （修正有）【課題】着脱可能に使用者支持装置に連結され、通信装置に対してデータ信号および電力信号を伝達するよう構成されるアクセサリーモジュールを含む通信システムを提供する。【解決手段】装置はハウジングおよび通信システムから構成される。ハウジングは、前部および後部を含む。後部は、係合面および、着脱可能にハウジングを使用者支持装置に連結するたように使用者支持装置の一部と連携するよう構成されたカプラーを有する。通信システムは、ハウジングに連結された少なくとも一つの通信装置を含む。通信装置は、使用者支持装置および外部装置に対してデータ信号および電力信号のうち少なくとも一つを送信および受信のうち少なくとも一つを行うよう構成されている。【選択図】図１
2011254457.tif 000002
【特許請求の範囲】
【請求項１】
ハウジングと、
通信システムと
を備え、
前記ハウジングは前部と後部を含み、前記後部は係合面と、前記ハウジングを使用者支持装置に着脱可能に連結するように前記使用者支持装置の一部と連携するよう構成されたカプラーを有し、
前記通信システムは、前記ハウジングに連結された少なくとも一つの通信装置を含み、前記通信装置は、前記使用者支持装置および外部装置に対してデータ信号および電力信号のうち少なくとも一つを少なくとも送信または受信するよう構成されている、
装置。
【請求項２】
前記ハウジングは前記使用者支持装置に連結されたサイドレールのグリップ部分に着脱可能に連結するよう構成されている、請求項１に記載の装置。
【請求項３】
前記グリップ部分はグリップ開口部を含み、前記ハウジングが前記サイドレールに連結されている時に前記ハウジングの少なくとも一部分が前記グリップ開口部内に配置可能である、請求項２に記載の装置。
【請求項４】
前記ハウジングは前記使用者支持装置に連結されたエンドボードのグリップ部分に着脱可能に連結するよう構成されている、請求項１に記載の装置。
【請求項５】
前記通信装置は、前記通信装置並びに、前記外部装置および前記使用者支持装置のうち少なくとも一つに連結されたケーブルを介して、前記外部装置および前記使用者支持装置のうち前記少なくとも一つと通信するよう構成されている、請求項１に記載の装置。
【請求項６】
前記通信装置は、前記外部装置および前記使用者支持装置のうち少なくとも一つと無線通信するよう構成されている、請求項１に記載の装置。
【請求項７】
前記ハウジングはチャンバーへの開口部を含み、前記チャンバーは底面、上面、複数の側面、および背面によって画定されており、前記底面はその上の前記外部装置を支えるよう構成されている、請求項１に記載の装置。
【請求項８】
前記通信装置はユニバーサル・シリアル・バス（ＵＳＢ）コネクタである、請求項１に記載の装置。
【請求項９】
前記通信システムは前記使用者支持装置から電力を受け取る、請求項１に記載の装置。
【請求項１０】
前記通信システムは前記ハウジング内に配置された電源を含む、請求項１に記載    の装置。
【請求項１１】
前記通信システムは、前記外部装置および前記使用者支持装置のうち少なくとも一つに対し少なくとも送信または受信されるデータ信号および電力信号のうち少なくとも一つを操作するよう構成されている電子回路を含む、請求項１に記載の装置。
【請求項１２】
前記通信システムは、前記外部装置および前記使用者支持装置のうち少なくとも一つに対するデータ信号および電力信号のうち少なくとも一つの少なくとも送信または受信に影響を及ぼすよう構成されている電子回路を含む、請求項１に記載の装置。
【請求項１３】
前記外部装置は個人用電子装置である、請求項１に記載の装置。
【請求項１４】
前記外部装置は、携帯電話、電子記憶装置、電子手帳、および電子媒体再生装置のうち少なくとも一つである、請求項１に記載の装置。
【請求項１５】
前記通信システムは前記外部装置内の電源を無線で再充電するよう構成されている、請求項１に記載の装置。
【請求項１６】
前記係合面は、前記使用者支持装置に連結されたサイドレールおよびエンドボードのうち少なくとも一つに係合するよう構成され、前記係合面は第一の電気接点を含み、前記サイドレールおよび前記エンドボードのうち少なくとも一つは、前記装置が前記サイドレールおよび前記エンドボードのうち前記少なくとも一つに連結される時に前記第一の電気接点に係合するよう構成された第二の電気接点を含む、請求項１に記載の装置。
【請求項１７】
前記ハウジングは、
サイドレールと、
アクセサリーモジュールと
を備え、
前記サイドレールは、周囲の縁およびグリップ部分を備える本体を含み、前記グリップ部分は前記周囲の縁と連携してグリップを画定するグリップ開口部を含み、
前記アクセサリーモジュールは、前記サイドレールに着脱可能に連結するよう構成され、ハウジングと、前記ハウジングに連結された通信インターフェースを備える通信システムとを含み、前記通信装置は、外部装置に対してデータ信号および電力信号のうち少なくとも一つを少なくとも送信または受信するよう構成されている、
サイドレールアセンブリ。
【請求項１８】
前記サイドレールは使用者支持装置に連結され、前記通信装置は、前記使用者支持装置に対してデータ信号および電力信号のうち少なくとも一つを少なくとも送信または受信するように構成されている、請求項１７に記載のサイドレールアセンブリ。
【請求項１９】
前記ハウジングの少なくとも一部分は、前記アクセサリーモジュールが前記サイドレールに連結されている時に、前記グリップ開口部内に配置可能である、請求項１７に記載のサイドレールアセンブリ。
【請求項２０】
前記ハウジングは前記グリップの輪郭を模倣するよう構成された係合面を含む、請求項１９に記載のサイドレールアセンブリ。
【請求項２１】
前記通信装置は、前記通信装置および前記外部装置に連結されたケーブルを介して前記外部装置と通信するよう構成されている、請求項１７に記載のサイドレールアセンブリ。
【請求項２２】
前記通信装置は前記外部装置と無線通信するよう構成されている、請求項１７に記載のサイドレールアセンブリ。
【請求項２３】
前記ハウジングはチャンバーへの開口部を含み、前記チャンバーは底面、上面、複数の側面、および背面によって画定されており、前記底面はその上の前記外部装置を支えるよう構成されている、請求項１７に記載のサイドレールアセンブリ。
【請求項２４】
前記通信システムは前記ハウジング内に配置された電源を含む、請求項１７に記載のサイドレールアセンブリ。
【請求項２５】
前記外部装置は個人用電子装置である、請求項１７に記載のサイドレールアセンブリ。
【請求項２６】
前記外部装置は携帯電話、電子記憶装置、電子手帳、および電子媒体再生装置のうち少なくとも一つである、請求項１７に記載のサイドレールアセンブリ。
【請求項２７】
前記通信システムは前記外部装置内に配置された電源を無線で再充電するよう構成されている、請求項１７に記載のサイドレールアセンブリ。
【請求項２８】
前記ハウジングは前部および後部を含み、前記後部は係合面およびカプラーを含み、前記係合面は前記グリップ部分と係合するように構成されており、前記係合面は第一の電気接点を含み、前記サイドレールは、前記サイドレールに前記装置が連結されている時に前記第一の電気接点と係合するように構成されている第二の電気接点を含む、請求項１７に記載のサイドレールアセンブリ。
【請求項２９】
アクセサリー・モジュール・ハウジングの少なくとも一つの後部と、
アクセサリー・モジュール・ハウジングの第一の前部と、
アクセサリー・モジュール・ハウジングの第二の前部
を備え、
前記第一の前部は、前記後部に着脱可能に連結されるよう構成され、第一の機能を果たすよう構成され、
前記第二の前部は、前記後部に着脱可能に連結されるよう構成され、前記第二の前部は第二の機能を果たすよう構成され、前記第一の機能および前記第二の機能は異なる機能である、
キット。
【請求項３０】
前記第一の前部および前記第二の前部ののうち一つは、抗菌剤および抗菌剤で実質的に飽和させた物質のうち少なくとも一つを供給するよう構成されている、請求項２９に記載のキット。
【請求項３１】
前記第一の前部および前記第二の前部のうち一つは、前記後部と連携して収納場所を画定するように構成されている、請求項２９に記載のキット。
【請求項３２】
前記第一の前部および前記第二の前部のうち一つは、外部装置に対してデータ信号および電力信号のうち少なくとも一つを少なくとも送信または受信するよう構成されている、請求項２９に記載のキット。
【請求項３３】
前記アクセサリー・モジュール・ハウジングの後部に着脱可能に連結されるよう構成され、気流を生み出すよう構成された、アクセサリー・モジュール・ハウジングの第四の前部をさらに含む、請求項２９に記載のキット。
【請求項３４】
出力装置と、
入力装置と、
警告システムと、
制御装置と
を備え、
前記入力装置は、外部装置から第一の信号を受け取るよう構成され、
前記警告システムは、所定の条件が満たされた時に警告信号を生成するよう構成され、
前記制御装置は、前記所定の条件が満たされなかった時には前記出力装置を通して前記第一の信号を出力し、前記所定の条件が満たされた時には前記出力装置を通して前記警告信号を出力するよう構成されている、
使用者支持装置に対する通信システム。
【請求項３５】
リフトアセンブリと、
リフトモーターと、
リフト制御装置と
を備え、
前記リフトモーターは、前記リフトアセンブリを移動するよう構成され、
前記リフト制御装置は、前記リフトモーターの操作を制御するよう構成され、そこに連結された装置に電力を供給するように一つ以上の所定の電圧および所定の電流を出力するよう構成された出力装置を含む、
使用者支持装置に対するリフトシステム。
【発明の詳細な説明】
【技術分野】
【０００１】
本開示は、一般に通信システムに関連する。より具体的には、排他的にではないが、一つの例証的な実施形態は、着脱可能に使用者支持装置に連結されるように構成され、それとの通信において装置に対してデータ信号および電力信号のうち少なくとも一つと伝達するように構成されている、アクセサリーモジュールを含む通信システムに関連するが、これらに限定はされない。
【背景技術】
【０００２】
病院に滞在する人々は、音楽および／またはビデオプレーヤー、携帯電話、ビデオゲーム機器などの電子装置を持参することが多い。装置は、データ／電力信号を伝達するように構成でき、その効果的使用のために時折再充電する必要がある可能性がある。さまざまな通信システムが開発されてきたものの、依然として改善の余地が残されている。このように、この技術分野においては、さらなる貢献の必要性が存続している。
【発明の概要】
【課題を解決するための手段】
【０００３】
一つの例証的な実施形態において、使用者支持装置に連結されるように構成されたアクセサリーモジュールには、外部装置および使用者支持装置のうち少なくとも一つに対してデータ信号および電力信号のうち少なくとも一つを送信および受信のうち少なくとも一つを行うように構成された通信システムを含む。別の例証的な実施形態において、後部、後部に着脱可能に連結されて第一の機能を果たすように構成されたアクセサリーモジュールの第一の前部、後部に着脱可能に連結されて第二の機能を果たすように構成された第二の前部を含むキットを提供でき、ここで第一の機能および第二の機能は異なる機能を持つ。別の例証的な実施形態において、通信システムは、所定の条件が満たされない時には外部装置が受け取る第一の信号を出力するように、所定の条件が満たされた時には警告信号を出力するように構成された制御装置を含む。別の例証的な実施形態において、リフトシステムは、一つ以上の所定の電圧および所定の電流を出力し、それに連結された装置に電力を供給するように構成された出力装置を有するリフト制御装置を備えたリフトシステムを含む。
【０００４】
追加的な特徴は単独でも、または上記および請求項に列記され下記で詳述されるものを含む他のいかなる特徴と組み合わせても、特許性のある主題を構成し得る。別の特徴も、現時点で理解されている発明を実施するための最良の形態の模範例を示す例証となる実施形態の下記の詳細な説明を考察することにより当業者にとって明らかとなろう。
【図面の簡単な説明】
【０００５】
【図１】本開示の一つの例証的な実施形態による、サイドレールに連結されたアクセサリーモジュールを備えた使用者支持装置の斜視側面図である。
【図２】サイドレールに連結され、グリップ開口部内に位置する図１のアクセサリーモジュールの斜視側面図である。
【図３】複数の通信インターフェースを含む図１のアクセサリーモジュールの斜視正面図である。
【図４】前部およびリテーナーおよび係合面を備えた連結部を示す、図１のアクセサリーモジュールの側面図である。
【図５】本開示の一つの例証的な実施形態による、使用者支持装置、アクセサリーモジュール、および外部装置間でのデータおよび／電力信号の伝送に関する線図である。
【図６】空隙の底面に連結された通信インターフェースおよびケーブルを介して通信インターフェースに連結された回路が含まれる通信システムを示す、一つの例証的な実施形態による、アクセサリーモジュールの側面断面図である。
【図７】係合面に連結された第一の接点およびサイドレールに連結されかつ第一の接点に係合するように構成された第二の接点を示す、一つの例証的な実施形態による、アクセサリーモジュールの側面断面図である。
【図８】本開示の一つの例証的な実施形態による、異なる機能を実行するように構成された複数の異なる前部、連結部、およびケーブルを含むキットの分解図である。
【図９】本開示の例証的な実施形態による、信号優先順位システムの部分概略図である。
【発明を実施するための形態】
【０００６】
本開示は数多くの異なる形態をとりうる一方で、この開示の原理の理解を促進する目的で、ここで図面に示した実施形態への参照をし、またそれらを説明するために特定の文言を使用する。従って、本開示の範囲を限定することを意図するものではない。本書で説明した本開示の原理のさまざまな変更、説明した実施形態のさらなる修正、および何らかのさらなる応用が意図されている。
【０００７】
一つの例証的な実施形態において、使用者支持装置に連結されるように構成されたアクセサリーモジュールには、外部装置および使用者支持装置のうち少なくとも一つに対して少データ信号および電力信号のうち少なくとも一つを送信および受信のうち少なくとも一つを行うように構成された通信システムを含む。別の例証的な実施形態において、後部、後部に着脱可能に連結されて第一の機能を果たすように構成されたアクセサリーモジュールの第一の前部、後部に着脱可能に連結されて第二の機能を果たすように構成された第二の前部を含むキットを提供でき、ここで第一の機能および第二の機能は異なる機能を持つ。別の例証的な実施形態において、通信システムは、所定の条件が満たされない時には外部装置が受け取る第一の信号を出力するように、所定の条件が満たされた時には警告信号を出力するように構成された制御装置を含む。別の例証的な実施形態において、リフトシステムは、一つ以上の所定の電圧および所定の電流を出力し、それに連結された装置に電力を供給するように構成された出力装置を持つリフト制御装置を備えたリフトシステムを含む。
【０００８】
図１には、本開示の一つの例証的な実施形態による、使用者支持装置１０を示す。使用者支持装置１０は、人の頭を配置できる第一の部分Ｆ１または頭部支持部分Ｆ１、および人の足を配置できる第二の部分Ｓ１または足部支持部分Ｓ１を有し得る。一つの例証的な実施形態では、使用者支持装置１０は病院ベッドであり得る。当然のことながら、使用者支持装置１０はまた、病院用ストレッチャーまたは手術台でもよい。
【０００９】
使用者支持装置１０には、下部フレーム１２またはベース１２、下部フレーム１２と連結された複数の支持部１４、下部フレーム１２の上で支持部１４に支えられる上部フレーム１６、および使用者支持装置１０の少なくとも一つの機能をコントロールするよう構成された制御システム（図示せず）が含まれ得る。当然のことながら、支持部１４は、上部フレーム１６を下部フレーム１２に対して動かすことができるリフト機構１４であり得る。当然のことながら、リフト制御システム（図示せず）は、所定の電圧および電流を継続的に出力するよう構成され、それに連結された装置およびアクセサリーに電力を供給し、壁コンセント（図示せず）にプラグ入力される装置およびアクセサリーの必要性を解消するために使用できる、専用出力部を備えうる制御装置（図示せず）を含むことができる。一つの例証的な実施形態において、使用者支持装置１０は、その上の使用者支持面１８を支えることができる。
【００１０】
上部フレーム１６には、図１に示すとおり、上部フレームベース２０、中間フレーム２２、デッキ２４、データおよび／または電源インターフェース２５、サイドレール２６、およびアクセサリーモジュール２７が含まれうる。当然のことながら、上部フレーム１６には、使用者支持装置１０の第一の部分Ｆ１および第二の部分Ｓ１に連結された、例えばヘッドボードＨＢ１やフットボードＦＢ１などのエンドボードＥＢ１も含まれ得る。図１に示されるように、上部フレームベース２０は支持部１４に連結でき、その上の中間フレーム２２とデッキ２４を支持し得る。デッキ２４は中間フレーム２２に可動的に連結でき、頭部２８、座部３０、および足部３２を含み得る。頭部２８、座部３０、および足部３２は、互いにおよび／または中間フレーム２２に可動的に連結され得る。
【００１１】
図１に示すデータおよび／または電源インターフェース２５は、それに連結された装置またはシステム（アクセサリーモジュール２７など）に対してデータ信号および／または電力信号を送信および／または受信するように構成できる。一つの例証的な実施形態では、データおよび／または電源インターフェース２５はＲＳ−２３２シリアルポートで、約８ＶのＤＣを出力するよう構成され得る。当然のことながら、データおよび／または電源インターフェース２５は、ＵＳＢインターフェースポート、パラレルポート、またはデータ信号および／または電力信号を送信および／または受信するよう構成された他のインターフェースであり得る。また当然のことながら、データおよび／または電源インターフェース２５は、別々のデータおよび電源コネクタ（図示せず）を持ち得る。別の例証的な実施形態において、データおよび／または電源インターフェース２５はＡＣ電源出力でもあり得る。当然のことながら、ＡＣ電源出力は、ＤＣ電源をＡＣ電源に変換するよう構成された変換器に接続できる。また当然のことながら、ＡＣ電源は電力ケーブル（図示せず）を介して部屋内のＡＣ電源（図示せず）に接続することのできる、使用者支持装置１０の電力システム（図示せず）からＡＣ電力を受け取ることができる。
【００１２】
図１および図２に示す通りサイドレール２６には、上部ＳＴ１および底部ＳＢ１を備えたサイドレール本体３４、およびサイドレール連結３６が含まれうる。サイドレール連結３６は、サイドレール本体３４の底部ＳＢ１に連結でき、サイドレール２６をデッキ２４および／または中間フレーム２２に連結し得る。例証的な一実施形態において、図１に示すとおり、サイドレール２６は、デッキ２４の頭部２８および／または中間フレーム２２（すなわち、第一のサイドレール２６ａまたは頭部サイドレール２６ａ）に連結でき、および／またはデッキ２４の足部３２および／または中間フレーム２２（すなわち、第二のサイドレール２６ｂまたは足サイドレール２６ｂ）に連結できる。
【００１３】
サイドレール連結３６は、図１に示すとおり、展開／動作位置と記憶位置との間のサイドレール２６の移動を促進するよう構成できる。図１に示すとおり、展開／動作位置において、サイドレール２６の少なくとも一部分は、上部フレーム１６より上にすることができる。記憶位置では、サイドレール２６は、サイドレール２６の少なくとも一部が展開／動作位置の下となるようなより低い位置に動かすことができる。当然のことながら、サイドレール連結３６は、ロックされた時にサイドレール２６を動作および／または記憶位置の一つに維持でき、ロックされていない時に動作位置と記憶位置の間のサイドレール２６の動きを促進できるロック機構（図示せず）を含み得る。
【００１４】
サイドレール本体３４には、図２に示すとおり、第一の面３８、第二の面４０、第一の面３８と第二の面４０の間に延びる側面４２、およびグリップ部分４４が含まれうる。当然のことながら、サイドレール２６は、制御システムと通信して使用者支持装置１０のさまざまな機能を選択的に制御できる、例えばグラフィカル・ユーザー・インターフェースなどの人インターフェース（図示せず）を含み得る。また当然のことながら、サイドレール２６には、媒体装置またはナースコール（看護師呼び出し）システム（図示せず）により生成された音声信号を出力するよう構成されたスピーカー（図示せず）を含むことができ、これには、図９に示すようにナースコールが使用された時にリレーによってチャネルを切り替えることで媒体装置によって生成された音声信号よりも優先順位が与えられ得る。第一の面３８と第二の面４０の少なくとも一部は、互いに実質的に並行であり得る。第一の面３８は、第一の面３８が上部フレーム１６に向かって面するように向け、第二の面４０は、第二の面４０が上部フレーム１６から見て外側に向くように置くことができる。
【００１５】
図２に示すグリップ部分４４は、人の使用者支持装置１０へ／からの出入りを支援するために人が掴むように構成され得る。一つの例証的な実施形態では、グリップ部分４４は上部ＳＴ１に沿って設置することができ、グリップ４６およびグリップ開口部４８を含み得る。グリップ開口部４８は、サイドレール本体３４を貫通し、人が指／手の少なくとも一部をグリップ４６の周りに巻きつけることができるように構成され得る。一つの例証的な実施形態において、グリップ開口部４８の上部は、グリップ４６の底部を画定でき、またグリップ開口部４８の上部と向かい合ったグリップ開口部４８の下部は、上側面５０の一部を画定し得る。
【００１６】
アクセサリーモジュール２７または取り外し可能モジュール２７は、図１〜２に示すとおり、グリップ開口部４８内に配置可能となるよう構成し得る。当然のことながら、アクセサリーモジュール２７は、少なくとも一つのエンドボードＥＢ１に着脱可能に連結され得る。一つの例証的な実施形態において、アクセサリーモジュール２７には、カップホルダーによって保持されるカップを温める、および／または冷ますように構成された熱電性カップホルダーを含み得る。別の例証的な実施形態において、アクセサリーモジュール２７には、外部装置ＥＤ１、使用者支持装置１０、および／またはそれと通信する外部システムから、それぞれ画像および音声信号を出力することのできるディスプレー（図示せず）、およびスピーカー（図示せず）などの少なくとも一つの音声出力装置（図示せず）を含むことができる。当然のことながら、スピーカーはサイドレール２６に位置付けられ得る。当然のことながら、より良好な視角のために回転させることができるよう、ディスプレーはハウジング内に回転できるように取り付けることができる。また当然のことながら、音量コントロール（図示せず）をアクセサリーモジュール２７に取り付けることもできる。また当然のことながら、希望に応じてディスプレーの向きを合わせられるように、ディスプレーの取り付け台は、拡大縮小したり、回転できるようにすることができる。
【００１７】
さらに別の例証的な実施形態において、アクセサリーモジュール２７は、それと通信する信号記憶装置（図示せず）および／またはプロセッサ（図示せず）に対してデータ信号および／または電力信号の送信、受信、読み取り、および／または書き込みを行うように構成され得る。信号記憶装置は、外部装置ＥＤ１および／または使用者支持装置１０内における電力貯蔵装置および／または記憶装置でもありうる。当然のことながら、アクセサリーモジュール２７は、ナースステーション、ナースコール・インターフェース、遠隔警告装置、および／または電子医療機器といった病院ネットワーク（図示せず）および／または介護者インターフェースなどのアクセサリーモジュール２７と通信する遠隔システム（図示せず）に対してデータ信号および／または電力信号を送信および／または受信し得る。外部装置ＥＤ１は、例えば、ｉＰｏｄなどの音楽および／またはビデオプレーヤー、携帯電話および／またはスマートフォン、電子ゲーム機器、電子手帳、または他の個人用電子装置の少なくとも一つであり得る。当然のことながら、外部装置ＥＤ１は、外部装置ＥＤ１から電子医療記録（ＥＭＲ）システム、ナースコール・システム、および／またはその他のシステムまたは場所に伝達したり、外部装置ＥＤ１にＥＭＲシステム、ナースコール・システム、および／またはその他のシステムからダウンロードされ得る、プリファレンス（好み）を含めたＥＭＲおよび／または患者情報などの情報を保存できる。
【００１８】
アクセサリーモジュール２７には、図２〜４および図６〜７に示すとおり、ハウジング５２および通信システム５４を含めることができる。ハウジング５２は、高分子材料で形成することができ、使用者支持装置１０に着脱可能に連結され得る。ハウジング５２には、図４に示すとおり、連結部ＣＰ１および前部ＦＰ１が含まれ得る。当然のことながら、ハウジング５２はまた、後方部が前部ＦＰ１および連結部ＣＰ１と連動してアクセサリーモジュール２７を使用者支持装置１０に連結するように、連結部に着脱可能に連結され得る後方部分（図示せず）も含み得る。一つの例証的実施形態では、前部ＦＰ１は連結部ＣＰ１に着脱可能に連結され得る。当然のことながら、前部ＦＰ１は、例えば、図８に示すとおり、連結部ＣＰ１と連携して、収納、抗菌剤ディスペンサー、ティッシュディスペンサー、冷却および／または加熱（暖房）、および／またはその他の目的や機能などの異なる目的を果たす、および／または異なる機能を実行するように構成され得る複数の前部ＦＰ１を含むキットの一部とすることができる。
【００１９】
図２〜４および図６〜７に示すハウジング５２は、第一の面３８に沿って延びる平面を超えて所定の距離未満だけ延びるように構成し得る。当然のことながら、ハウジング５２は、エンドボードＥＢ１または使用者支持装置１０の他の部分に連結された時、所定の距離よりも大きく、またはその距離に満たないように構成され得る。当然のことながら、ハウジング５２は、第二の面４０で形成される面から、所定の距離を超えて延びるように構成され得る。一つの例証的な実施形態では、アクセサリーモジュール２７が連結されたサイドレール２６の厚さは、約３インチ未満である。別の例証的な実施形態では、連結部ＣＰ１の厚さは、グリップ４６の厚さとほぼ同じであり得る。
【００２０】
ハウジング５２の前部ＦＰ１は、図３〜４および６に示す通り、開口部５５を底面５８、背面６０、上面６２、および複数の側面６４を持つチャンバー５６に含めることができる。側面６４は、底面５８のほぼ前端６６から背面６０まで、および底面５８から上面６２まで延びることができる。底面５８は、その上の少なくとも一つの外部装置ＥＤ１を支持するように構成され得る。当然のことながら、底面５８は、前端６６に沿った隆起部分（図示せず）により外部装置ＥＤ１を着脱可能に保持するように構成され得る。また当然のことながら、外部装置ＥＤ１は、他の留め具またはリテーナー（図示せず）で底面５８上に保持され得る。また当然のことながら、底面５８は電子装置と非電子装置の両方の保管に使用され得る。
【００２１】
連結部ＣＰ１には、図４〜７に示すとおり、リテーナー６８および係合面７０を含めることができる。一つの例証的な実施形態では、リテーナー６８は、スライドまたは回転できるようにハウジング５２に連結され、延長と押し下げまたは圧縮位置の間でハウジング５２に対して移動できるばね作動機構であり得る。別の例証的な実施形態では、アクセサリーモジュール２７は、グリップ開口部４８に圧入またははめ込むように構成され得る。また別の実施形態では、リテーナー６８は、ハウジング５２をグリップ開口部４８に挿入する時は押し下げられ、ほぼ押し下げられていない状態に戻ってスナップフィットを提供し、アクセサリーモジュール２７をグリップ開口部４８内に連結し得る柔軟なタブ（図示せず）であり得る。当然のことながら、アクセサリーモジュール２７は、圧入またははめ込んだ方向とは反対の方向にアクセサリーモジュール２７を押すかまたは引くことにより、取り外すことができる。
【００２２】
また別の例証的な実施形態では、アクセサリーモジュール２７は、少なくとも一つのエンドボードＥＢ１と連結するように構成され得る。また別の実施形態では、アクセサリーモジュール２７は、サイドレール２６および／またはエンドボードＥＢ１に、ハンガー、フック、クランプ、留め具（ねじ、結合部材、または他の留め部材など）（図示せず）で連結され得る。当然のことながら、アクセサリーモジュール２７は一般的に長方形の形状でありうる。さらに当然のことながら、アクセサリーモジュール２７は抗菌特性を持ち得る。
【００２３】
図６〜７に示される通信システム５４は、信号記憶装置および／またはプロセッサに対してデータ信号および／または電力信号を送受信、読み取り、および／または書き込みするように構成され得る。通信システム５４には、ハウジング５１内に位置する複数の外部装置インターフェース７２ａおよび７２ｂおよび回路７４を含めることができる。当然のことながら、通信システム５４は、少なくとも一つの外部装置ＥＤ１および／または使用者支持装置１０と通信するように構成された一つの外部装置インターフェース７２のみを含み得る。また当然のことながら、サイドレール２６には、信号記憶装置に連結され、信号記憶装置に対して信号を送受信／読み取り／書き込みするよう構成できる、その上の外部装置インターフェース７２などの外部装置インターフェース（図示せず）を含み得る。通信システム５４は、外部装置ＥＤ１および／または使用者支持装置１０に対してデータ信号および／または電力信号を、有線接続および／または無線接続を通して伝達するように構成され得る。
【００２４】
図６〜７に示される回路７４は、外部装置インターフェース７２ａおよび７２ｂに電気的に連結され、その間のデータおよび／または電力の通信を促進し得る。一つの例証的な実施形態では、回路７４は外部装置インターフェース７２ａと７２ｂを接続している少なくとも一つのケーブル７５を含み得る。当然のことながら、ケーブル７５は外部装置インターフェース７２ａをデータおよび／または電源インターフェース２５に直接接続し得る。当然のことながら、ケーブル７５は回路７４のその他の構成要素をデータおよび／または電源インターフェース２５に接続し得る。また当然のことながら、ケーブル７５は、アクセサリーモジュール２７に電力を供給するため部屋内の電源コンセント（図示せず）に着脱可能に連結されたＡＣアダプタ（図示せず）にも接続でき、これによってアクセサリーモジュール２７の電子機器を使用者支持装置１０の電子機器から分け隔てる必要性が解消され得る。また当然のことながら、ケーブル７５は外部装置インターフェース７２ａをリフト制御システムの制御装置の専用出力に直接接続し得る。
【００２５】
別の例証的な実施形態では、回路７４は外部装置インターフェース７２ａおよび７２ｂ、外部装置ＥＤ１、および／または使用者支持装置１０の間のデータおよび／または電力の通信を制御するように構成された制御装置（図示せず）を含み得る。また別の例証的な実施形態では、外部装置ＥＤ１に送られる電圧および／または電流が、例えば約５ＶＤＣなど所定のレベルになるように、回路７４は使用者支持装置１０から受け取る電圧および／または電流を調整するように構成され得る。当然のことながら、所定のレベルは５ＶＤＣより大きいかまたは小さいことがある。また別の例証的な実施形態では、回路７４はアナログからデジタル（Ａ／Ｄ）および／またはデジタルからアナログ（Ｄ／Ａ）への変換器を含み得る。当然のことながら、回路７４は、他のデジタルおよび／またはアナログ信号変換器、シフター、暗号化機および／またはエンコーダ、デクリプターおよび／またはデコーダー、またはハードウェアおよび／またはソフトウェアを変更する他のデジタルおよび／またはアナログ信号を含み得る。
【００２６】
また別の例証的な実施形態では、回路７４は、外部装置ＥＤ１に電力を供給するように構成された例えばバッテリーなどの電源（図示せず）および／またはアクセサリーモジュール２７のさまざまな部品などを含み得る。また別の例証的な実施形態では、回路７４は、外部装置および／または使用者支持装置１０に対して電力を無線で送信および／または受信するよう構成された無線電力送信機および／または受信機（図示せず）を含み得る。当然のことながら、回路７４は、アクセサリーモジュール２７が使用者支持装置１０および外部装置ＥＤ１の少なくとも一つからのデータ信号および／または電力信号を送信および／または受信している時に点灯するように構成された表示ライト（図示せず）を含み得る。
【００２７】
図３および図６〜７に示す、外部装置インターフェース７２は、外部装置ＥＤ１および／または使用者支持装置１０に対してデータ信号および／または電力信号を送信および／または受信するよう構成された有線および／または無線の装置とすることができる。有線構成では、外部装置インターフェース７２は、外部装置ＥＤ１および／または使用者支持装置１０に物理的に接続され得る。一つの例証的な実施形態において、外部装置インターフェース７２は、外部装置ＥＤ１および／または使用者支持装置１０（図７に図示）上の対応する接点に対応して係合するように構成された複数の接点７６とすることができる。当然のことながら、個々の接点は、データと電力のうち一方または両方を通信するように構成され得る。一例において、電気接点７６は、アクセサリーモジュール２７がサイドレール２６に連結される時、係合面７０およびグリップ４６の底部および上側面５０のうち少なくとも一つに沿って配置され得る。別の例において、リテーナー６８には、アクセサリーモジュール２７がサイドレール２６に連結される時、グリップ４６の底部および上側面５０のうち少なくとも一つ上の対応する電気接点と係合することのできる電気接点が含まれ得る。
【００２８】
別の例証的な実施形態において、外部装置インターフェース７２は、図２〜３および図６〜７に示すとおり、例えば、ケーブル７７の第一の端部を受けるように構成できる底面５８に位置する、ユニバーサル・シリアル・バス（ＵＳＢ）インターフェースなどのレセプタクルとすることができ、第二の端部は、外部装置ＥＤ１および／または使用者支持装置１０に接続されるように構成できる。当然のことながら、外部装置インターフェース７２は、外部装置ＥＤ１に統合されたコネクタを受け取ることができる。また当然のことながら、外部装置インターフェース７２は、ＤＣ電源をＡＣ電源に変換するよう構成された変換器に接続したり、電力ケーブル（図示せず）を通して部屋内のＡＣ電源出力（図示せず）に接続することのできる使用者支持装置１０の電力システム（図示せず）からＡＣ電源を受け取ることができる、ＡＣ電源出力でありうる。当然のことながら、ケーブル７７は、キットでアクセサリーモジュール２７とともに供給される一組のケーブルであり得、各ケーブル７７は、外部装置インターフェース７２と連結するよう構成された第一の末端を有するコネクタおよび、第一の末端を有するコネクタとは異なる第二の末端を有する少なくとも一つのコネクタを持ち、これは異なる外部装置ＥＤ１を連結するように構成され得る。当然のことながら、キットは、少なくとも一つのケーブル７７、少なくとも一つの前部ＦＰ１、および／または連結部ＣＰ１を含めて提供され得る。また当然のことながら、外部装置インターフェース７２は、他のソケット、プラグ、およびコネクタである得、これには部品ビデオコネクタ、光ファイバーコネクタ、シガレット・ライター・ソケット、シリアルおよび／または通信パラレルポート、または他の電気的接続などを含むがこれに限定されない。また当然のことながら、外部装置インターフェース７２は、ハウジング５１の任意の面上に位置し得る。また当然のことながら、外部装置インターフェース７２は、別々の電力およびデータ伝達インターフェースを含むよう構成され得る。
【００２９】
無線構成では、図３と６〜７に示される外部装置インターフェース７２は、アクセサリーモジュール２７が使用者支持装置１０に連結されているかどうかにかかわらず、外部装置ＥＤ１および／または使用者支持装置１０に対してデータ信号および／または電力信号を伝達できる。一つの例証的な実施形態では、外部装置インターフェース７２は、データを外部装置ＥＤ１に対して送信および／または受信するように構成されたＢｌｕｅｔｏｏｔｈ無線送受信機、使用者支持装置１０、および／または遠隔システム（図示せず）であり得る。当然のことながら、データ信号および／または電力信号は、無線周波数（ＲＦ）、赤外線（ＩＲ）、誘導結合、または他の形態の無線データ送信／受信および／または近距離／長距離無線電力送信技術などの他の無線技術を使用して伝達され得る。また当然のことであるが、遠隔システムは病院ネットワーク、ナースコール・システム、および／または他の遠隔システムであり得る。別の例証的な実施形態では、外部装置インターフェース７２は、外部装置を底面５８上に配置すると同時に、外部装置ＥＤ１の電源（図示せず）を充電するよう構成された誘導配列であり得る。当然のことながら、誘導配列には、ハウジング５２内に位置する部分、および使用者支持装置１０上に位置する部分が含まれ得る。
【００３０】
本開示のその他数多くの実施形態も想定される。例えば、装置はハウジングおよび通信システムから構成される。ハウジングは、前部および後部を含む。後部は、着脱可能にハウジングを使用者支持装置に連結するために使用者支持装置の一部と連携するよう構成された係合カプラーとを有する。通信システムは、ハウジングに連結された少なくとも一つの通信装置を含む。通信装置は、使用者支持装置および外部装置に対してデータ信号および電力信号のうち少なくとも一つを送信および受信のうち少なくとも一つを行うよう構成されている。一つの例証的な実施形態において、ハウジングは使用者支持装置に連結されたサイドレールのグリップ部分に着脱可能に連結するよう構成されている。別の例において、グリップ部分はグリップ開口部を含み、少なくともハウジングの一部分は、ハウジングがサイドレールに連結されている時にグリップ開口部内への配置が可能である。別の例証的な実施形態において、ハウジングは使用者支持装置に連結されたエンドボードのグリップ部分に着脱可能に連結するよう構成されている。別の例証的な実施形態において、通信装置は、通信装置並びに、外部装置および使用者支持装置のうち少なくとも一つに連結されたケーブルを通して、外部装置および使用者支持装置のうち前記少なくとも一つと通信するよう構成されている。別の例証的な実施形態において、通信装置は、外部装置および使用者支持装置のうち少なくとも一つと無線で通信できるよう構成されている。別の例証的な実施形態において、ハウジングはチャンバーへの開口部を含み、該チャンバーは底面、上面、複数の側面、および背面によって画定される。底面は、その上にある外部装置を支えるように構成されている。別の例証的な実施形態において、通信装置はユニバーサル・シリアル・バス（ＵＳＢ）コネクタである。別の例証的な実施形態において、通信システムは使用者支持装置から電力を受け取る。別の例証的な実施形態において、通信システムはハウジング内に配置された電源を含む。別の例証的な実施形態において、通信システムは、外部装置および使用者支持装置のうち少なくとも一つから送信および受信のうち少なくとも一つを行われるデータ信号および電力信号のうち少なくとも一つを操作するよう構成される電子回路を含む。別の例証的な実施形態において、通信システムは、外部装置および使用者支持装置のうち少なくとも一つに対してデータ信号および電力信号のうち少なくとも一つの送信および受信のうち少なくとも一つに影響を及ぼすよう構成されている電子回路を含む。別の例証的な実施形態において、外部装置は個人用電子装置である。別の例証的な実施形態において、外部装置は携帯電話、電子記憶装置、電子手帳、および電子媒体再生装置の少なくとも一つである。別の例証的な実施形態において、通信システムは外部装置内の電源を無線で再充電するよう構成されている。別の例証的な実施形態において、係合面は、使用者支持装置に連結されたサイドレールおよびエンドボードのうち少なくとも一つが係合するよう構成されている。係合面は、第一の電気接点と、装置がサイドレールおよびエンドボードのうち少なくとも一つと連結される時に第一の電気接点に係合するよう構成された第二の電気接点を含むサイドレールおよびエンドボードのうち少なくとも一つとを含む。
【００３１】
別の例において、サイドレールアセンブリはサイドレールおよびアクセサリーモジュールを含む。サイドレールは、周囲の縁およびグリップ部分を備えた本体を含む。グリップ部分は、周囲の縁と連携してグリップを画定するグリップ開口部を含む。アクセサリーモジュールは、サイドレールに着脱可能に連結するように構成される。アクセサリーモジュールは、ハウジングと、ハウジングに連結された通信インターフェースを有する通信システムを含む。通信装置は、外部装置に対してデータ信号および電力信号のうち少なくとも一つを送信および受信のうち少なくとも一つを行うよう構成されている。一つの例証的な実施形態において、サイドレールは使用者支持装置に連結され、通信装置は使用者支持装置に対してデータ信号および電力信号のうち少なくとも一つを送信および受信のうち少なくとも一つを行うように構成されている。別の例証的な実施形態において、ハウジングの少なくとも一部分は、アクセサリーモジュールがサイドレールに連結されている時に、グリップ開口部内に配置可能である。別の例証的な実施形態において、ハウジングにはグリップの輪郭を模倣するよう構成された係合面を含む。別の例証的な実施形態において、通信装置は、通信装置および外部装置に連結されたケーブルを通して、外部装置と通信するよう構成されている。別の例証的な実施形態において、通信装置は外部装置と無線通信できるよう構成されている。別の例証的な実施形態において、ハウジングはチャンバーへの開口部を含む。チャンバーは、底面、上面、複数の側面、および背面によって画定される。底面は、その上にある外部装置を支えるように構成されている。別の例証的な実施形態において、通信システムはハウジング内に配置された電源を含む。別の例証的な実施形態において、外部装置は個人用電子装置である。別の例証的な実施形態において、外部装置は携帯電話、電子記憶装置、電子手帳、および電子媒体再生装置の少なくとも一つである。別の例証的な実施形態において、通信システムは外部装置内の電源を無線で再充電するよう構成されている。別の例証的な実施形態において、ハウジングには前部および後部を含む。後部は係合面およびカプラーを含み、係合面はグリップ部分と係合するように構成されている。係合面は、第一の電気接点を含み、サイドレールは装置がサイドレールに連結されている時に第一の電気接点に係合するよう構成された第二の電気接点を含む。
【００３２】
別の例において、キットは、アクセサリー・モジュール・ハウジングの第一の前部、アクセサリー・モジュール・ハウジングの第二の前部、およびアクセサリー・モジュール・ハウジングの第三の前部を含む。アクセサリー・モジュール・ハウジングの第一の前部は、アクセサリー・モジュール・ハウジングの後部部分に着脱可能に連結されるよう構成されており、収納場所を画定するために後部と連携するよう構成されている。アクセサリー・モジュール・ハウジングの第二の前部は、アクセサリー・モジュール・ハウジングの後部に着脱可能に連結されるよう構成されている。第二の前部は、少なくとも一つの抗菌剤および抗菌剤で実質的に飽和された物質を供給するよう構成された抗菌容器を含む。アクセサリー・モジュール・ハウジングの第三の前部は、アクセサリー・モジュール・ハウジングの後部に着脱可能に連結するよう構成されており、使用者支持装置および外部装置のうち少なくとも一つに対してデータ信号および電力信号のうち少なくとも一つを送信および受信のうち少なくとも一つを行うよう構成されている。一つの例証的な実施形態において、キットはさらにコネクタケーブルを含む。別の例証的な実施形態において、キットはさらに後部を含む。後部は、使用者支持装置のサイドレールおよびエンドボードのうち少なくとも一つに着脱可能に係合するように構成されている。別の例証的な実施形態において、後部の少なくとも一部分は、サイドレールおよびエンドボードのうち少なくとも一つにおいてグリップ開口部内に配置されるよう構成されている。別の例証的な実施形態において、第三の前部はデータ信号および電力信号のうち少なくとも一つを無線で送信および受信のうち少なくとも一つを行うよう構成されている。別の例証的な実施形態において、キットは、アクセサリー・モジュール・ハウジングの後部に着脱可能に連結され、気流を生み出すよう構成されたアクセサリー・モジュール・ハウジングの第四の前部を含む。
【００３３】
別の例において、キットは、アクセサリー・モジュール・ハウジングの少なくとも一つの後部、アクセサリー・モジュール・ハウジングの第一の前部、およびアクセサリー・モジュール・ハウジングの第二の前部を含む。アクセサリー・モジュール・ハウジングの第一の前部は、後部に着脱可能に連結され第一の機能を果たするよう構成されている。アクセサリー・モジュール・ハウジングの第二の前部は、後部に着脱可能に連結されるよう構成されている。第二の前部は第二の機能を果たすように構成され、第一機能および第二の機能は異なる機能である。一つの例証的な実施形態において、第一の前部および第二の前部の一つは、抗菌剤および実質的に抗菌剤で飽和させた物質のうち少なくとも一つを供給するよう構成されている。別の例証的な実施形態において、第一の前部および第二の前部のうち一方は、後部と連携して収納場所を画定するように構成されている。別の例証的な実施形態において、第一の前部および第二の前部のうち一方は外部装置に対してデータ信号および電力信号のうち少なくとも一つを送信および受信のうち少なくとも一つをするよう構成されている。別の例証的な実施形態において、キットは、アクセサリー・モジュール・ハウジングの後部に着脱可能に連結され気流を生み出すよう構成されたアクセサリー・モジュール・ハウジングの第四の前部を含む。
【００３４】
別の例において、使用者支持装置の通信システムは、フレーム、サイドレール、および通信装置を含む。サイドレールはフレームに連結されている。通信装置はサイドレールに連結され、それに連結された信号記憶装置に信号を伝達するよう構成されている。一つの例証的な実施形態において、信号記憶装置は電力を貯蔵する。一つの例証的な実施形態において、信号記憶装置はデータを保存する。
【００３５】
別の例において、使用者支持装置の通信システムは、フレーム、サイドレール、および通信装置を含む。サイドレールはフレームに連結されている。通信装置はサイドレールに連結され、それに連結されたプロセッサに信号を伝達するよう構成されている。
【００３６】
別の例において、装置はハウジングと通信システムから構成される。ハウジングは、前部および後部を含む。後部は、係合面と、着脱可能にハウジングを使用者支持装置に連結するように使用者支持装置の一部と連携するよう構成されたカプラーを有する。通信システムは、ハウジングに連結された少なくとも一つの通信装置を含む。通信装置は、使用者支持装置、信号記憶装置、および信号処理装置のうち少なくとも一つと電子的に連結されるよう構成され、その間でデータ信号および電力信号のうち少なくとも一つを伝達する。一つの例証的な実施形態において、通信装置は、使用者支持装置、信号記憶装置、および信号処理装置のうち少なくとも二つと電子的に連結されるよう構成され、その間でデータ信号および電力信号のうち少なくとも一つを伝達する。
【００３７】
別の例において、サイドレールアセンブリはサイドレールおよびアクセサリーモジュールを含む。サイドレールは、周囲の縁およびグリップ部分を備えた本体を含む。グリップ部分は、周囲の縁と連携してグリップを画定するグリップ開口部を含む。アクセサリーモジュールは、サイドレールに着脱可能に連結するように構成される。アクセサリーモジュールは、ハウジングと、ハウジングに連結された通信インターフェースを有する通信システムを含む。通信装置は、使用者支持装置、信号記憶装置、および信号処理装置のうち少なくとも一つと電子的に連結されるよう構成され、その間でデータ信号および電力信号のうち少なくとも一つを伝達する。
【００３８】
また別の例において、使用者支持装置の通信システムは、出力装置、入力装置、警告システム、および制御装置を含む。入力装置は、外部装置から第一の信号を受け取るよう構成されている。警告システムは、所定の条件が満たされた時に警告信号を生成するよう構成されている。制御装置は、所定の条件が満たされなかった時には出力装置を通して第一の信号を出力し、所定の条件が満たされた時には出力装置を通して警告信号を出力するよう構成されている。一つの例証的な実施形態において、出力装置は拡声器である。別の例証的な実施形態において、入力装置はケーブルを介して外部装置に接続するよう構成されたコネクタである。別の例証的な実施形態において、入力装置は無線で第一の信号を受け取るよう構成されている。別の例証的な実施形態において、警告システムはナースコール・システムである。別の例証的な実施形態において、外部装置は音声信号を出力するよう構成されている。別の例証的な実施形態において、制御装置は警告信号が出力された後に第一の信号を出力する。別の例証的な実施形態において、出力装置はディスプレー画面である。別の例証的な実施形態において、外部装置はビデオ信号を出力するよう構成されている。別の例証的な実施形態において、出力装置は使用者支持装置のサイドレールに連結されている。別の例証的実施形態では、使用者支持装置はベッドである。別の例証的な実施形態において、入力装置は使用者支持装置のサイドレールに連結されている。
【００３９】
また別の例において、使用者支持装置のリフトシステムはリフトアセンブリ、リフトモーター、およびリフト制御装置を含む。リフトモーターはリフトアセンブリを移動するよう構成されている。リフト制御装置は、リフトモーターの操作を制御するよう構成されている。リフト制御装置には、それに連結された装置に電力を供給するように一つ以上の所定の電圧および所定の電流を出力するよう構成された出力装置を含む。
【００４０】
本書に記載した一切の理論、動作メカニズム、証明、所見は、本開示の原理の理解をさらに高めることを意図し、いかなる方法でも本開示をそうした理論、動作メカニズム、実例となる実施形態、証明、または所見に依存することを意図していない。上記の説明において、好ましいという用語は、そのように記載した特徴がより望ましいことを示すが、それにもかかわらず、それが必要なわけではなく、その記載のない実施形態も本開示の範囲に入るものと意図されることが理解されるべきであり、その範囲は以下の請求項に画定される。
【００４１】
請求項を読む際に、単数形（原文で「ａ」、「ａｎ」）、「少なくとも一つ」、「少なくとも一部分」などの単語が使用されているとき、請求項にそれに反する内容が具体的に述べられていない限り、請求項を一つの項目だけに限定することを意図したものではないことが理解されるべきである。「少なくとも一部分」および／または「一部分」という用語が使用されているとき、その項目には、これに反して具体的に記載のない限り、一部分および／または項目全体が含まれる。
【００４２】
一部の実施形態のみを表示し説明しており、本書に定義したとおり、または下記の請求項のいずれかにより、本開示の精神を逸脱しない、考えられるすべての変更、修正、態様、組み合わせ、原理、変形物、および等価物が保護されることが望ましいことが理解されるべきである。本開示の実施形態について、図面および上述の説明で詳細に図示・説明してきたが、これらは、実例となるものとして考慮されるべきであり、本発明を網羅するものではなく、本開示を開示した正確な形態に限定することを意図したものではない。追加的な変更、修正および変形物が、当業者にとって明白となりうる。また、発明の複数の態様や原理について提示してきたが、上記の各種の実施形態に照らすと、これらは組み合わせで利用する必要はなく、また発明の態様や原理のさまざまな組み合わせが可能である。
【図１】
2011254457.tif 000003
【図２】
2011254457.tif 000004
【図３】
2011254457.tif 000005
【図４】
2011254457.tif 000006
【図５】
2011254457.tif 000007
【図６】
2011254457.tif 000008
【図７】
2011254457.tif 000009
【図８】
2011254457.tif 000010
【図９】
2011254457.tif 000011
【外国語明細書】
2011254457.tif 000012
2011254457.tif 000013
2011254457.tif 000014
2011254457.tif 000015
2011254457.tif 000016
2011254457.tif 000017
2011254457.tif 000018
2011254457.tif 000019
2011254457.tif 000020
2011254457.tif 000021
2011254457.tif 000022
2011254457.tif 000023
2011254457.tif 000024
2011254457.tif 000025
2011254457.tif 000026
2011254457.tif 000027
2011254457.tif 000028
2011254457.tif 000029
2011254457.tif 000030
2011254457.tif 000031
2011254457.tif 000032
2011254457.tif 000033
2011254457.tif 000034
2011254457.tif 000035
2011254457.tif 000036
2011254457.tif 000037
2011254457.tif 000038
2011254457.tif 000039
2011254457.tif 000040
2011254457.tif 000041
2011254457.tif 000042
2011254457.tif 000043
2011254457.tif 000044
2011254457.tif 000045
2011254457.tif 000046
2011254457.tif 000047
2011254457.tif 000048
2011254457.tif 000049
2011254457.tif 000050
2011254457.tif 000051
2011254457.tif 000052
2011254457.tif 000053
2011254457.tif 000054
2011254457.tif 000055
2011254457.tif 000056